(57)【特許請求の範囲】
【請求項１】
箱本体と、前記箱本体の上下方向に複数段で取り付けられるとともに電気部品が装着される電気部品ブロックと、前記箱本体に取り付けられるとともに電源からの電力を分配する電源分配ブロックと、を備えた電気接続箱において、
前記箱本体には、該箱本体の下段に取り付けられる電気部品ブロックの挿通穴が設けられ、かつ、
前記下段に取り付けられる電気部品ブロックが、前記箱本体の水平方向に摺動可能に形成され、
前記箱本体は、上下方向に延びる枠状に形成されて上段に取り付けられる電気部品ブロックが嵌合される取付枠を有することを特徴とする電気接続箱。
【請求項２】
前記下段に取り付けられる電気部品ブロックには、一対のレールが設けられ、かつ、
前記箱本体には、前記一対のレールが案内されるとともに摺動される一対の案内レールが設けられていることを特徴とする請求項１に記載の電気接続箱。
【請求項３】
前記下段に取り付けられる電気部品ブロックには、前記一対の案内レール側に向かって突出された突条が設けられていることを特徴とする請求項２に記載の電気接続箱。
【請求項４】
前記下段に取り付けられる電気部品ブロックには、前記挿通穴を閉止する蓋部が設けられていることを特徴とする請求項１ないし請求項３のいずれか一項に記載の電気接続箱。
【請求項５】
前記蓋部には、係止孔が設けられ、
前記挿通穴の周縁部には、前記係止孔に係止される係止突起が設けられ、かつ、
前記係止突起が、前記係止孔との係止が解除可能に形成されていることを特徴とする請求項４に記載の電気接続箱。
【発明の詳細な説明】
【技術分野】
【０００１】
本発明は、自動車のエンジンルームなどに取り付けられる電気接続箱に関する。
【背景技術】
【０００２】
自動車には多種多様な電子機器が搭載されている。これら多種多様な電子機器に電力を供給するために、自動車には、バッテリ等の電源と前記電子機器との間の適宜箇所に、ヒューズやリレー等の電気部品が集約されて構成された電気接続箱が設置されている。
【０００３】
なお、電気接続箱は、ジャンクションブロック、ヒューズブロック、リレーボックス、とも呼ばれる。本明細書では、前述したジャンクションブロック、ヒューズブロック、リレーボックスを、総称して電気接続箱と呼ぶ。
【０００４】
電気接続箱は、箱本体と、前記箱本体に取り付けられるとともに電気部品が装着される電気部品ブロックと、前記箱本体に取り付けられるとともに電源の電力を分配する電源分配ブロックと、を備えている。
【０００５】
このような電気接続箱は、エンジンやオルタネータやバッテリなどの各種の機器が搭載されたエンジンルーム等に取り付けられる。このため、エンジンルーム等の水平方向のスペースが限られており、この限られたスペースに搭載できる電気接続箱が要求されている。
【０００６】
上記要求から、垂直投影面積を小型化する電気接続箱が提案されている（例えば、特許文献１参照。）。特許文献１に示された電気接続箱は、電気部品が装着される電気部品ブロックと、電源からの電力が分配される電源分配ブロックと、前記電気部品ブロックが上下方向に二段で取り付けられるとともに前記電源分配ブロックが取り付けられる箱本体と、を備えており、前記電気部品ブロックが上下方向（垂直方向）に二段で取り付けられているため、水平方向の寸法が抑えられている。
【先行技術文献】
【特許文献】
【０００７】
【特許文献１】特開２０１１−１０５１４号公報
【発明の概要】
【発明が解決しようとする課題】
【０００８】
しかしながら、前述した特許文献１に示された従来の電気接続箱は、下段の電気部品ブロックに装着された電気部品のメンテナンスなどの際に、上段の電気部品ブロックを箱本体から取り外さなければ前記下段のブロックに装着された電気部品に作業者が接触することができない。このため、メンテナンス等の作業性が良くないという問題があった。
【０００９】
本発明は、かかる問題を解決することを目的としている。即ち、本発明は、メンテナンス性の良い小型の電気接続箱を提供することを目的とする。
【課題を解決するための手段】
【００１０】
前記課題を解決し目的を達成するために、請求項１に記載された発明は、箱本体と、前記箱本体の上下方向に複数段で取り付けられるとともに電気部品が装着される電気部品ブロックと、前記箱本体に取り付けられるとともに電源からの電力を分配する電源分配ブロックと、を備えた電気接続箱において、前記箱本体には、該箱本体の下段に取り付けられる電気部品ブロックの挿通穴が設けられ、かつ、前記下段に取り付けられる電気部品ブロックが、前記箱本体の水平方向に摺動可能に形成され、前記箱本体は、上下方向に延びる枠状に形成されて上段に取り付けられる電気部品ブロックが嵌合される取付枠を有することを特徴とする電気接続箱である。
【００１１】
請求項２に記載された発明は、前記下段に取り付けられる電気部品ブロックには、一対のレールが設けられ、かつ、前記箱本体には、前記一対のレールが案内されるとともに摺動される一対の案内レールが設けられていることを特徴とする請求項１に記載の電気接続箱である。
【００１２】
請求項３に記載された発明は、前記下段に取り付けられる電気部品ブロックには、前記一対の案内レール側に向かって突出された突条が設けられていることを特徴とする請求項２に記載の電気接続箱である。
【００１３】
請求項４に記載された発明は、前記下段に取り付けられる電気部品ブロックには、前記挿通穴を閉止する蓋部が設けられていることを特徴とする請求項１ないし請求項３のいずれか一項に記載の電気接続箱である。
【００１４】
請求項５に記載された発明は、前記蓋部には、係止孔が設けられ、前記挿通穴の周縁部には、前記係止孔に係止される係止突起が設けられ、かつ、前記係止突起が、前記係止孔との係止が解除可能に形成されていることを特徴とする請求項４に記載の電気接続箱である。
【発明の効果】
【００１５】
請求項１に記載された発明によれば、電気接続箱は、下段に取り付けられる電気部品ブロックの挿通穴を箱本体に設けるとともに、前記下段に取り付けられる電気部品ブロックを前記箱本体の水平方向に摺動可能に形成したため、前記下段に取り付けられる電気部品ブロックを前記箱本体の挿通穴から引き出すことができる。このため、下段に取り付けられる電気部品ブロックを作業者が箱本体から引き出して、電気部品のメンテナンス等を行える。したがって、メンテナンス等の作業性が良好となる。
【００１６】
請求項２に記載された発明によれば、電気接続箱は、下段に取り付けられる電気部品ブロックに一対のレールを設けるとともに、箱本体に前記一対のレールが案内されて摺動される一対の案内レールを設けたため、前記下段に取り付けられる電気部品ブロックを正確かつ円滑に摺動させることができる。
【００１７】
請求項３に記載された発明によれば、電気接続箱は、下段に取り付けられる電気部品ブロックに一対の案内レール側に向かって突出された突条を設けたため、前記一対のレールと前記一対の案内レールとのガタツキを防止することができる。
【００１８】
請求項４に記載された発明によれば、電気接続箱は、下段に取り付けられる電気部品ブロックに箱本体の挿通穴を閉止する蓋部を設けたため、前記挿通穴から水などの液体が箱本体の内部に浸入するのを防止することができる。
【００１９】
請求項５に記載された発明によれば、電気接続箱は、蓋部に係止孔を設けるとともに、挿通穴の周縁部に前記係止孔に係止する係止突起を設けたため、下部に取り付けられる電気部品ブロックが不用意に箱本体の挿通穴から引き出されるのを防止することができる。
【００２０】
また、電気接続箱は、挿通穴の周縁部に設けた係止突起を、係止孔との係止が解除可能に形成したため、メンテナンス等のような必要に応じて、下部に取り付けられる電気部品ブロックを箱本体の挿通穴から引き出すことができる。
【図面の簡単な説明】
【００２１】
【図１】本発明の一実施形態にかかる電気接続箱の構成を説明するための分解図である。
【図２】箱本体の一対の案内レールと該一対の案内レールに案内される下段の電気部品ブロックの一対のレールとを説明するための拡大断面図である。
【図３】下段の電気部品ブロックが箱本体の挿通穴に挿通される状態を示す図である。
【発明を実施するための形態】
【００２２】
以下、本発明の実施形態について、図１ないし図３を参照して説明する。
【００２３】
本発明の一実施形態にかかる電気接続箱１は、図１に示すように、箱本体２と、前記箱本体２の上面に取り付けられるアッパカバー４と、前記箱本体２の側面に取り付けられるサイドカバー５と、前記箱本体２の下面に取り付けられるロアカバー６と、を備えている。
【００２４】
なお、図１ないし図３中の矢印Ｘは、水平方向と平行な方向を示しているとともに箱本体２の短手方向を示しており、矢印Ｙは、水平方向と平行な方向を示しているとともに箱本体２の長手方向を示しており、矢印Ｚは、垂直方向と平行な方向を示しているとともに箱本体２の上下方向を示している。また、矢印Ｚ方向の紙面方向における上側を「上」と表現し、矢印Ｚ方向の紙面方向における下側を「下」と表現する。
【００２５】
箱本体２は、枠状に形成された本体部３と、前記本体部３内に取り付けられるとともに電源の電力を分配する電源分配ブロック１０と、前記本体部３内の上段に取り付けられる電気部品ブロックとしてのリレーユニット７と、前記本体部３内の下段に取り付けられる電気部品ブロック８と、を備えている。箱本体２には、前記リレーユニット７と電気部品ブロック８とが上下方向Ｚに二段で取り付けられている。
【００２６】
本体部３は、絶縁性の樹脂で形成され、周知の射出成形によって形成されている。本体部３は、互いに連なる外壁で枠状に形成されている。本体部３には、前記電源分配ブロック１０の図示しない取付部と、前記リレーユニット７が取り付けられる取付枠１２と、前記アッパカバー４に係合される係合部６３と、前記サイドカバー５に係合される係合突起６２と、前記ロアカバー６に係合される係合部６１と、前記下段に取り付けられる電気部品ブロック８が挿通される挿通穴２７と、後述する前記電気部品部録８の一対のレール２０が案内されて摺動される一対の案内レール２４と、を備えている。
【００２７】
取付部は、前記本体部３の外壁の内周面に設けられ、前記電源分配ブロック１０の外形に沿って枠状に形成されている。取付部は、前記電源分配ブロック１０が嵌合されて固定されるように形成されている。
【００２８】
取付枠１２は、前記本体部３の外壁の内周面の上部に設けられ、前記リレーユニット７の外形に沿って枠状に形成されている。取付枠１２は、前記リレーユニット７が嵌合されて固定されるように形成されている。図示例では、取付枠１２は、前記リレーユニット７が二列で取り付けられるように形成されている。また、取付枠１２には、電気部品としてのリレー１６が取り付けられる取付部１４が併設されている。
【００２９】
挿通穴２７は、前記本体部３の長手方向Ｙの一端側の外壁に設けられている。挿通穴２７は、前記本体部３の外壁が開口されて四角形状に形成されている。挿通穴２７の周縁部には、後述する下段に取り付けられる電気部品ブロック８の蓋部３２の一対の係止孔２９に係止される一対の係止突起２８が設けられている。
【００３０】
一対の係止突起２８は、前記挿通穴２７の周縁部の前記本体部３の短手方向Ｘの両端側のそれぞれから突出されて形成されている。一対の係止突起２８は、図３に示すように、先端部が鉤状に形成されている。
【００３１】
一対の案内レール２４は、図１および図２に示すように、前記本体部３の外壁と隔壁４０とにそれぞれ設けられている。一対の案内レール２４は、前記本体部３の長手方向Ｙに沿って延長して設けられたレール２５，２６で形成されている。レール２５は、先端側が下方に屈曲されて断面Ｌ字形状に形成されている。レール２６は、先端側が上方に屈曲されて断面Ｌ字形状に形成されている。
【００３２】
電源分配ブロック１０は、図１に示すように、ブロック本体部１１と、図示しない電源ケーブルの端末の端子が取り付けられる電源入力端子６５と、前記電源入力端子６５から入力された電力を分配するバスバと、を備えている。
【００３３】
ブロック本体部１１は、絶縁性の合成樹脂で形成されている。ブロック本体部１１は、電気部品としてのヒューズやリレーが搭載される搭載部６７と、前記ブロック本体部１１の下面に設けられ且つ図示しない電線やワイヤハーネスが接続される電気接続部と、前記箱本体２の本体部３の取付部と係合される係合突起を備えている。
【００３４】
バスバは、導電性の板金で形成されている。バスバは、前記電源入力端子６５に電気的に接続されている。バスバは、前記電源入力端子６５から入力された電力を前記本体部の搭載部６７および前記電気接続部に、予め定められたパターンにしたがって電力を分配する形状とされている。バスバは、周知の打ち抜き加工およびプレス加工によって成形されている。
【００３５】
電気接続部は、前記ブロック本体部１１の下面に設けられている。電気接続部は、自動車等の車両に搭載された多種多様な電子機器に電力を供給するワイヤハーネスの端末に設けられたコネクタ、前記リレー１６の取付部１４に電力を供給する電線の端末に設けられた端子金具、前記リレーユニット７が取り付けられる取付枠１２に電力を供給する電線の端末に設けられた端子金具、および、前記下段に取り付けられる電気部品ブロック８に電力を供給する電線の端末に設けられた端子金具、が嵌合されて、予め定められたパターンにしたがって前記バスバに電気的に接続されるように形成されている。
【００３６】
リレーユニット７は、絶縁性の合成樹脂で形成されている。リレーユニット７は、直方体状の箱状に形成されている。リレーユニット７の上面には、電気部品としてのヒューズが装着されるヒューズ装着部１３が設けられている。リレーユニット７の下面には、前記電源分配ブロック１０のブロック本体部１１に連結された電線の端末に設けられたコネクタが嵌合されるコネクタ嵌合部が設けられている。リレーユニット７内には、電気部品としての複数個のリレーと、回路を構成するプリント回路基板またはバスバと、が設けられている。
【００３７】
ヒューズ装着部１３は、前記本体部３の長手方向Ｙに沿って等間隔で複数（図示例では、４つ）設けられている。ヒューズ装着部１３には、該ヒューズ装着部１３にヒューズが装着された際に、前記プリント回路基板またはバスバが前記ヒューズに電気的に接続されるように配されている。
【００３８】
コネクタ嵌合部には、該コネクタ嵌合部に、前記電源分配ブロック１０のブロック本体部１１に連結された電線のコネクタが嵌合された際に、前記プリント回路基板またはバスバが前記コネクタに電気的に接続されるように配されている。
【００３９】
リレーユニット７内に設けられる前記プリント回路基板またはバスバは、前記複数個のリレーと、前記ヒューズ装着部１３に装着されたリレーと、前記コネクタ嵌合部に嵌合されたコネクタとを、予め定められたパターンにしたがって、電気的に接続している。
【００４０】
下段に取り付けられる電気部品ブロック８は、電気部品としてのリレー１８，１９が装着される装着部と、前記電源分配ブロック１０のブロック本体部１１に連結された電線の端末に設けられた端子金具が嵌合される電気接続部と、前記本体部３の長手方向Ｙに延長して形成された一対のレール２０と、前記本体部３の一対の案内レール２４側に向かって突出された突条２３（図２に示す）と、前記本体部３の挿通穴２７を閉止する蓋部３２と、を備えている。
【００４１】
装着部は、前記電気部品ブロック８の上面に設けられている。装着部には、該装着部にリレー１８，１９が装着された際に、前記リレー１８，１９の端子と接続される端子金具が設けられている。
【００４２】
電気接続部は、前記電気部品ブロック８の下面に設けられている。電気接続部には、装着部に設けられた前記端子金具の一端側が配されている。このため、前記電源分配ブロック１０のブロック本体部１１に連結された電線の端末に設けられた端子金具が前記電気接続部に接続された際に、前記一端側と電気的に接続される。
【００４３】
一対のレール２０は、図１および図２に示すように、前記本体部３の短手方向Ｘに対して交差する方向の前記電気部品ブロック８の両側面にそれぞれ設けられている。一対の案内レール２０は、前記本体部３の長手方向Ｙに沿って延長して設けられたレール２１，２２で形成されている。レール２１は、先端側が上方に屈曲されて断面Ｌ字形状に形成されている。レール２６は、先端側が下方に屈曲されて断面Ｌ字形状に形成されている。
【００４４】
突条２３は、前記本体部３の短手方向Ｘに対して交差する方向の前記電気部品ブロック８の両側面にそれぞれ設けられている。突条２３は、前記一対の案内レール２４の先端側に向かって突出して形成されているとともに、前記一対の案内レール２４と前記突条２３との間隔が小さくされて形成されている。このため、前記一対のレール２０と前記一対の案内レール２４とのガタツキが防止される。
【００４５】
蓋部３２は、前記本体部３の挿通穴２７の形状に沿って四角形状に形成されている。蓋部３２には、前記挿通穴２７の周縁部に突出された係止突起２８と係止される係止孔２９が設けられている。係止孔２９と係止突起２８とは、蓋部３２を挿通穴２７から引き出す力によって、係止状態が解除可能に形成されている。
【００４６】
アッパカバー４は、絶縁性の合成樹脂で形成されている。アッパカバー４は、周知の射出成形によって成形されている。アッパカバー４は、互いに連なる複数の外壁を備え、上部が閉止された有底枠状に形成されている。アッパカバー４には、前記本体部３の係合部に係合されるとともに摘みを操作して係合解除可能に形成された摘み部５２が設けられている。アッパカバー４は、前記本体部３の上面を覆う状態で、該本体部３に取り付けられる。
【００４７】
サイドカバー５は、絶縁性の合成樹脂で形成されている。サイドカバー５は、周知の射出成形によって成形されている。サイドカバー５は、互いに連なる複数の外壁を備え、一方の側面が開放されて形成されている。サイドカバー５には、前記本体部３の係合突起６２が係合される係合部５５が設けられている。サイドカバー５は、前記本体部３の側面を覆う状態で、該本体部３に取り付けられる。
【００４８】
ロアカバー６は、絶縁性の合成樹脂で形成されている。ロアカバー６は、周知の射出成形によって形成されている。ロアカバー６は、互いに連なる複数の外壁を備え、下部が閉止された有底枠状に形成されている。ロアカバー６には、前記本体部３の係合部６１に係合される係合突起５８が設けられている。ロアカバー６は、前記本体部３の下面を覆う状態で、該本体部３に取り付けられる。
【００４９】
前述の如く構成された電気接続箱１は、電源分配ブロック１０の予め定められたパターンにしたがって、リレーユニット７、下段に取り付けられる電気部品ブロック８、および、各種の電子機器などに電力を供給する。
【００５０】
また、電気接続箱１は、図３に示すように、下段に取り付けられる電気部品ブロック８を前記本体部３の長手方向Ｙに引き出すことができる。このため、リレーユニット７と電気部品ブロック８とを上下に二段で配置して垂直投影面積を小型化するとともに、下段に取り付けられる電気部品ブロック８のメンテナンス等の作業性を向上する。
【００５１】
本実施形態によれば、電気接続箱１は、箱本体２と、前記箱本体２の上下方向に複数段で取り付けられるとともに電気部品が装着される電気部品ブロック７と、前記箱本体２に取り付けられるとともに電源からの電力を分配する電源分配ブロック１０と、を備えており、前記箱本体２には、該箱本体２の下段に取り付けられる電気部品ブロック８の挿通穴２７が設けられ、かつ、前記下段に取り付けられる電気部品ブロック８が、前記箱本体２の水平方向Ｙに摺動可能に形成されている。
【００５２】
このため、電気接続箱１は、下段に取り付けられる電気部品ブロック８の挿通穴２７を箱本体２に設けるとともに、前記下段に取り付けられる電気部品ブロック８を前記箱本体２の水平方向Ｙに摺動可能に形成したことによって、前記下段に取り付けられる電気部品ブロック８を前記箱本体２の挿通穴２７から引き出すことができる。
【００５３】
したがって、下段に取り付けられる電気部品ブロック８を作業者が箱本体２から引き出して、電気部品のメンテナンス等を行える。よって、メンテナンス等の作業性が良好となる。
【００５４】
また、本実施形態によれば、電気接続箱１は、前記下段に取り付けられる電気部品ブロック８には、一対のレール２０が設けられ、かつ、前記箱本体２には、前記一対のレール２０が案内されるとともに摺動される一対の案内レール２４が設けられている。
【００５５】
このため、電気接続箱１は、下段に取り付けられる電気部品ブロック８に一対のレール２０を設けるとともに、箱本体２に前記一対のレール２０が案内されて摺動される一対の案内レール２４を設けたことによって、前記下段に取り付けられる電気部品ブロック８を正確かつ円滑に摺動させることができる。
【００５６】
また、本実施形態によれば、電気接続箱１は、前記下段に取り付けられる電気部品ブロック８には、前記一対の案内レール２４側に向かって突出された突条２３が設けられている。
【００５７】
このため、電気接続箱１は、下段に取り付けられる電気部品ブロック８に一対の案内レール２４側に向かって突出された突条２３を設けたことによって、前記一対のレール２０と前記一対の案内レール２４とのガタツキを防止することができる。
【００５８】
また、本実施形態によれば、電気接続箱１は、前記下段に取り付けられる電気部品ブロック８には、前記挿通穴２７を閉止する蓋部３２が設けられている。
【００５９】
このため、電気接続箱１は、下段に取り付けられる電気部品ブロック８に箱本体２の挿通穴２７を閉止する蓋部３２を設けたことによって、前記挿通穴２７から水などの液体が箱本体２の内部に浸入するのを防止することができる。
【００６０】
また、本実施形態によれば、電気接続箱１は、前記蓋部３２には、係止孔２９が設けられ、かつ、前記挿通穴２７の周縁部には、前記係止孔２９に係止される係止突起２８が設けられている。
【００６１】
このため、電気接続箱１は、蓋部３２に係止孔２９を設けるとともに、挿通穴２７の周縁部に前記係止孔２９に係止する係止突起２８を設けたことによって、下部に取り付けられる電気部品ブロック８が不用意に箱本体２の挿通穴２７から引き出されるのを防止することができる。
【００６２】
また、本実施形態によれば、電気接続箱１は、前記係止突起２８が、前記係止孔２９との係止が解除可能に形成されている。
【００６３】
このため、電気接続箱１は、挿通穴２７の周縁部に設けた係止突起２８を、係止孔２９との係止が解除可能に形成したことによって、メンテナンス等のような必要に応じて、下部に取り付けられる電気部品ブロック８を箱本体２の挿通穴２７から引き出すことができる。
【００６４】
なお、上述した実施形態では、電気部品ブロックを上下に二段で配置した電気接続箱を例示しているが、下段に取り付けられる電気部品ブロックを箱本体に対して摺動可能に形成していればよいので、電気部品ブロックを上下に三段などの多段で配置しても良い。また、電気部品ブロックは、電気部品が装着されるブロックであったり、電気部品が内部に収容されるユニットであったり、それらの複合体であったり、複数のブロックが組み合わされて形成されたブロックであったりしても良い。
【００６５】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００６６】
１  電気接続箱
２  箱本体
７  リレーユニット（電気部品ブロック）
８  下段に取り付けられる電気部品ブロック
１０  電源分配ブロック
２０  一対のレール
２３  突条
２４  一対の案内レール
２７  挿通穴
２８  係止突起
２９  係止孔
３２  蓋部
Ｙ  長手方向（水平方向）
Ｚ  上下方向
【図１】
0005836688.tif 000002
【図２】
0005836688.tif 000003
【図３】
0005836688.tif 000004